(57)【要約】【課題】画像形成装置において、スキャンユニットの下面に突起部等が形成されていても、スキャンユニットの組立作業を容易に行うことができるようにする。【解決手段】画像形成装置の上部に回動可能に配設されるスキャンユニット３は、原稿を読み取る読取部等を収納するスキャナ筐体３５を有している。スキャナ筐体３５の下面には、スキャンユニット３が回動するときに画像形成装置のプリンタ筐体に引っ掛かるように構成されたストッパ突起３５ｂと、そのストッパ突起３５ｂから離れた位置に互いに離れて突設された２つの支持突起３５ｃ，３５ｄが形成されている。スキャナ筐体３５は、平坦面上に載置されたとき、ストッパ突起３５ｂ、支持突起３５ｃ，３５ｄの各先端部と、それらから離れた位置のスキャナ筐体３５の下面の一部との４箇所の接地点Ｌにて、その平坦面上に接地し、スキャナ筐体３５の姿勢が安定した状態になる。【選択図】図４
2008072544.tif 000002
【特許請求の範囲】
【請求項１】
上部に開口部が形成されたプリンタ筐体と、
前記プリンタ筐体の上方に前記開口部を覆うように配置され、略矩形形状の原稿台上に載置された原稿を画像データとして読み取る機能を有するスキャンユニットと、
前記プリンタ筐体に収納されており、前記スキャンユニットにより読み取られた原稿の画像データ又は外部装置から入力された画像データに基づいて記録紙に画像を形成する機能を有する画像形成部とを備え、
前記スキャンユニットは、
前記原稿台の下部に配置され、前記原稿台上に載置された原稿を読み取る読取部と、
上面が開口した箱形状を有し、前記読取部が内部に収納され、下面に前記プリンタ筐体の内部に嵌入するストッパ突起が形成されているスキャナ筐体と、
前記スキャナ筐体に前記原稿台が配置された状態で、前記スキャナ筐体の上面を覆うように配置され、前記原稿台の上面が上方に露出するように形成されている上面パネルと、
前記原稿台の上面を覆うように配置され、前記原稿台上に載置された原稿をその原稿台との間で挟むことにより、その原稿を前記原稿台に密着させるスキャナリッドとを有しており、
前記スキャナ筐体は、前記プリンタ筐体背部近傍に略水平に軸支されており、前記プリンタ筐体上部に載置された状態から前記ストッパ突起が前記プリンタ筐体に引っ掛かるまで前記プリンタ筐体に対し回動可能であり、前記スキャナ筐体を回動させることにより前記開口部を開閉可能に構成されている画像形成装置において、
前記スキャナ筐体の下面には、前記スキャンユニットが略平坦面上に載置された状態で前記ストッパ突起及び前記スキャナ筐体の下面の一部と共にその略平坦面上に接地するように、少なくとも１つの支持突起が下方に向け突設されており、
前記支持突起は、前記スキャナ筐体の下面の端部近傍部位のうち、前記略平坦面上に接地する他の接地点から離れた位置に配置されており、
前記スキャナ筐体は、前記支持突起、前記ストッパ突起、及び前記スキャナ筐体の下面の一部にて略平坦面上に接地することによりその姿勢が安定し、そのスキャナ筐体に歪みが生じにくい状態で前記略平坦面上に載置可能であり、前記スキャンユニットの組立作業を容易にしたことを特徴とする画像形成装置。
【請求項２】
上部に開口部が形成されたプリンタ筐体と、
前記プリンタ筐体の上方に前記開口部を覆うように配置され、その下面から突出するように形成された突起部を有するスキャナ筐体と、そのスキャナ筐体の上部に配置された略矩形形状の原稿台と、前記スキャナ筐体の内部に収納され、前記原稿台上に載置された原稿を画像データとして読み取る読取部とを有するスキャンユニットと、
前記プリンタ筐体に収納されており、前記スキャンユニットにより読み取られた原稿の画像データ又は外部装置から入力された画像データに基づいて記録紙に画像を形成する機能を有する画像形成部とを備えた画像形成装置において、
前記スキャナ筐体の下面には、少なくとも１つの支持突起が突設されており、前記スキャンユニットが略平坦面上に載置されたとき、少なくとも前記支持突起と前記突起部とが前記略平坦面上に接地することにより、そのスキャンユニットの姿勢が安定した状態になることを特徴とする画像形成装置。
【請求項３】
前記支持突起は、前記スキャナ筐体の下面のうち、前記略平坦面に接地する他の接地点から離れた位置に配置されていることを特徴とする請求項２に記載の画像形成装置。
【発明の詳細な説明】
【技術分野】
【０００１】
本発明は、記録紙に画像を形成する画像形成装置に関し、特に、原稿台に載置された原稿を画像データとして読み取るスキャンユニットを搭載しているものに関する。
【背景技術】
【０００２】
従来より、例えばＣＩＳ（Contact Image Sensor）等のセンサにより、原稿台上に載置された原稿を画像データとして読み取るスキャンユニットを搭載した画像形成装置が用いられている。このような画像形成装置としては、例えば、記録紙に画像を形成する画像形成部が収納されたプリンタ筐体の上部に、スキャンユニットを、プリンタ筐体に対し回動自在に軸支して配置したものが知られている。プリンタ筐体の上部には、スキャンユニットにより覆われた開口部が形成されており、スキャンユニットを回動させて開口部を外部に露出させることにより、画像形成部のメンテナンス作業等を行うことができるように構成されている。
【０００３】
ところで、上記のようなスキャンユニットの下面には、例えば、画像形成装置のプリンタ筐体に対して係合するように形成されており、プリンタ筐体に対するスキャンユニットの回動可能範囲を制限するような突起部が設けられることがある。このような突起部が形成されている場合、組立作業時等においてスキャンユニットを平坦な作業台等に載置するときに、その突起部と共に、スキャンユニットの下面のうち限られた部位しか作業台等に接地せず、スキャンユニットの重心位置の変化によって、スキャンユニットが作業台等の上でぐらついてしまったり、スキャンユニットの筐体自体が歪んだ状態となってしまう。スキャンユニットがぐらついてしまったり、その筐体が歪んだ状態となってしまうと、例えば原稿台をスキャンユニットの筐体の所定位置に取り付けることができなくなる等、組立作業を行うことが困難になる。そのため、従来では、組立作業時等に、例えばスキャンユニットの下面を安定して支えるために治具等を用いる必要があり、その治具等の設計や製造等にコストがかかり、また、その治具等にスキャンユニットをセットする作業が煩雑であるという問題があった。また、画像形成装置の使用期間中に、スキャンユニットを画像形成装置から取り外してメンテナンスするような場合には、上記のような治具を用意できない場合があり、メンテナンス作業を行うことが困難であった。
【０００４】
ところで、特許文献１及び特許文献２には、単体でも使用できるスキャナ装置を、画像形成装置と一体に取り付けて使用可能な画像形成装置の構成が示されている。特許文献１の構成によれば、スキャナ装置を、その周囲の３点を取り付け部として、上面の平面性が悪い画像形成装置にも安定して固定可能である。特許文献２の構成によれば、スキャナ装置は、底面の突起が画像形成装置上面の４隅に固定されて、安定して画像形成装置に組みつけられる。また、特許文献３には、画像形成装置本体の底面に給紙装置を着脱可能に取り付けた画像形成装置の構成が示されている。そしてまた、特許文献４には、スキャンユニットの底面の４隅の突起が設置台に接地され、スキャンユニットの平面度を確保するようにした画像形成装置の構成が示されている。しかしながら、これらの特許文献１乃至特許文献４には、上述のような、スキャンユニットの組立時やメンテナンス時における問題点を解決できるような構成は示されていない。
【特許文献１】特開２００３−３３０１２７号公報
【特許文献２】特開２００２−３３８６９号公報
【特許文献３】特開平８−１５７０８２号公報
【特許文献４】特開２００２−２２９２９２号公報
【発明の開示】
【発明が解決しようとする課題】
【０００５】
本発明は、上記問題点を鑑みてなされたものであり、スキャンユニットを、略平坦面上に、歪まないように安定した状態で載置可能であり、スキャンユニットの組立作業等を容易に行うことができる画像形成装置を提供することを目的とする。
【課題を解決するための手段】
【０００６】
上記目的を達成するため、請求項１の発明は、上部に開口部が形成されたプリンタ筐体と、前記プリンタ筐体の上方に前記開口部を覆うように配置され、略矩形形状の原稿台上に載置された原稿を画像データとして読み取る機能を有するスキャンユニットと、前記プリンタ筐体に収納されており、前記スキャンユニットにより読み取られた原稿の画像データ又は外部装置から入力された画像データに基づいて記録紙に画像を形成する機能を有する画像形成部とを備え、前記スキャンユニットは、前記原稿台の下部に配置され、前記原稿台上に載置された原稿を読み取る読取部と、上面が開口した箱形状を有し、前記読取部が内部に収納され、下面に前記プリンタ筐体の内部に嵌入するストッパ突起が形成されているスキャナ筐体と、前記スキャナ筐体に前記原稿台が配置された状態で、前記スキャナ筐体の上面を覆うように配置され、前記原稿台の上面が上方に露出するように形成されている上面パネルと、前記原稿台の上面を覆うように配置され、前記原稿台上に載置された原稿をその原稿台との間で挟むことにより、その原稿を前記原稿台に密着させるスキャナリッドとを有しており、前記スキャナ筐体は、前記プリンタ筐体背部近傍に略水平に軸支されており、前記プリンタ筐体上部に載置された状態から前記ストッパ突起が前記プリンタ筐体に引っ掛かるまで前記プリンタ筐体に対し回動可能であり、前記スキャナ筐体を回動させることにより前記開口部を開閉可能に構成されている画像形成装置において、
前記スキャナ筐体の下面には、前記スキャンユニットが略平坦面上に載置された状態で前記ストッパ突起及び前記スキャナ筐体の下面の一部と共にその略平坦面上に接地するように、少なくとも１つの支持突起が下方に向け突設されており、前記支持突起は、前記スキャナ筐体の下面の端部近傍部位のうち、前記略平坦面上に接地する他の接地点から離れた位置に配置されており、前記スキャナ筐体は、前記支持突起、前記ストッパ突起、及び前記スキャナ筐体の下面の一部にて略平坦面上に接地することによりその姿勢が安定し、そのスキャナ筐体に歪みが生じにくい状態で前記略平坦面上に載置可能であり、前記スキャンユニットの組立作業を容易にしたものである。
【０００７】
請求項２の発明は、上部に開口部が形成されたプリンタ筐体と、前記プリンタ筐体の上方に前記開口部を覆うように配置され、その下面から突出するように形成された突起部を有するスキャナ筐体と、そのスキャナ筐体の上部に配置された略矩形形状の原稿台と、前記スキャナ筐体の内部に収納され、前記原稿台上に載置された原稿を画像データとして読み取る読取部とを有するスキャンユニットと、前記プリンタ筐体に収納されており、前記スキャンユニットにより読み取られた原稿の画像データ又は外部装置から入力された画像データに基づいて記録紙に画像を形成する機能を有する画像形成部とを備えた画像形成装置において、前記スキャナ筐体の下面には、少なくとも１つの支持突起が突設されており、前記スキャンユニットが略平坦面上に載置されたとき、少なくとも前記支持突起と前記突起部とが前記略平坦面上に接地することにより、そのスキャンユニットの姿勢が安定した状態になるものである。
【０００８】
請求項３の発明は、請求項２の発明において、前記支持突起は、前記スキャナ筐体の下面のうち、前記略平坦面に接地する他の接地点から離れた位置に配置されているものである。
【発明の効果】
【０００９】
請求項１の発明によれば、スキャナ筐体が略平坦面上に載置された状態で、支持突起、ストッパ突起、スキャナ筐体の下面の一部がその略平坦面上に接地するので、スキャナ筐体の下面にストッパ突起が突設されていても、スキャナ筐体を、その姿勢が安定してスキャナ筐体に歪みが生じにくい状態で平坦面上に載置することが可能である。従って、スキャンユニットの組立作業を容易に行うことができる。スキャンユニットの姿勢を安定させるために、特別な治具等を用いることを要しないので、画像形成装置の製造コストを低減することができ、スキャンユニットの組立作業を効率良く行うことができ、さらに、画像形成装置の使用期間中にメンテナンス作業等を行う場合にも、容易にその作業を行うことが可能になる。支持突起は、スキャナ筐体の下面の端部近傍部位うち、平坦面への他の接地点から離れた位置に配置されているので、スキャンユニットの重心位置が変化したり、スキャンユニットの組立時等に力が加わったりしても、スキャナ筐体の姿勢が不安定になりにくい。従って、スキャンユニットの組立作業やメンテナンス作業等をより容易に行うことが可能になる。
【００１０】
請求項２の発明によれば、スキャンユニットが平坦面上に載置されたとき、支持突起と突起部とが平坦面上に接地することにより、スキャナ筐体の下面に突起部が突出するように形成されていても、スキャンユニットの姿勢が安定した状態になる。従って、上述と同様に、スキャンユニットの組立作業やメンテナンス作業等を容易に行うことができる。また、特別な治具等を用いることを要しないので、画像形成装置の製造コストを低減させることができ、スキャンユニットの組立作業を効率良く行うことができる。
【００１１】
請求項３の発明によれば、支持突起は、スキャナ筐体の下面のうち、平坦面への他の接地点から離れた位置に配置されているので、スキャンユニットの重心位置が変化したり、スキャンユニットの組立時等に力が加わったりしても、スキャンユニットの姿勢が不安定になりにくい。従って、スキャンユニットの組立作業やメンテナンス作業等をより容易に行うことが可能になる。
【発明を実施するための最良の形態】
【００１２】
以下、本発明の一実施形態について図面を参照しつつ説明する。図１及び図２は、本実施形態に係る画像形成装置の一例を示す。この画像形成装置１は、いわゆるオールインワン型のものであり、樹脂製のプリンタ筐体１０の内部に収納された画像形成部２と、そのプリンタ筐体１０の上方に、その後端部がプリンタ筐体１０に水平に回動可能に軸支された状態で配置され、原稿（図示せず）を画像データとして読み取る略直方体形状のスキャンユニット３と、プリンタ筐体１０の上部に配置された外部から操作可能な操作ボタン４及び画像形成装置１の動作状態等を表示する液晶表示部５と、例えばプリンタ筐体１０の前面に配置され、例えばデジタルスチルカメラやメモリーカード等の外部機器が接続されるコネクタ部７等を有している。プリンタ筐体１０の背面には、画像形成部２に搬送される記録紙（図示せず）がセットされる給紙トレイ１５が設けられており、画像形成部２の前面には、画像形成部２により画像が形成された記録紙が排出される排紙トレイ１６が設けられている。この画像形成装置１は、例えば、コネクタ部７等に接続された外部機器や、例えばプリンタ筐体１０の背部に設けられたコネクタを介して接続された外部のパーソナルコンピュータ等から入力された画像データ等や、スキャンユニット３により読み取られた画像データ等を用いて、画像形成部２により記録紙に画像を形成する機能を有している。
【００１３】
画像形成部２は、いわゆるインクジェット方式により記録紙に画像を形成するものである。画像形成部２は、例えば、記録紙を給紙トレイ１５から一枚ずつプリンタ筐体１０の内部に給紙して、排紙トレイ１６上に排出するローラやローラを駆動するモータ等を有する記録紙搬送機構（図示せず）や、プリンタ筐体１０の内部に搬送された記録紙にインクを吐出するヘッドを搭載したキャリッジ２ａや、キャリッジ２ａを記録紙の搬送方向に略直交する方向に往復駆動させるモータ及び駆動ベルト（図示せず）等で構成されている。なお、画像形成部２は、例えば電子写真方式や熱転写方式等により記録紙に画像を形成するようなものであってもよい。
【００１４】
図２に示すように、プリンタ筐体１０の上方には開口部１０ｂが形成されている。画像形成装置１の通常使用時には、開口部１０ｂは図１に示すようにスキャンユニット３により覆われており、画像形成部２が外部に露出しないように構成されている。そして、図２に示すように、スキャンユニット３を上方に回動させて開口部１０ｂを外部に露出させることにより、例えば記録紙に吐出されるインクが封入されたインクカートリッジ（図示せず）等をキャリッジ２ａに取り付ける作業等、画像形成部２のメンテナンス作業を行うことができるように構成されている。
【００１５】
図３は、スキャンユニット３を示す。スキャンユニット３は、例えばガラス製の原稿台３ａと、上面が開口した箱形状を有しており原稿台３ａがその開口する部位に配置されるスキャナ筐体３５と、スキャナ筐体３５の上面の開口を覆うように上方から配置される上面パネル３６とに囲まれて略直方体形状に構成されている。スキャナ筐体３５の内部底面には、上方に向け位置決め突起３５ａが突設されている。原稿台３ａは、この位置決め突起３５ａにその側縁部が支持されてスキャナ筐体３５に対して位置決めされた状態で、上面パネル３６がスキャナ筐体３５に取り付けられ、それによって原稿台３ａの上面が下方に押さえられることにより、スキャナ筐体３５に固定される。
【００１６】
上面パネル３６には、原稿台３ａの上面が矩形形状に上方に露出するように、矩形開口３６ａが形成されている。上面パネル３６の上方には、リッド１１が配置されている。リッド１１は、上方に露出した原稿台３ａを覆うように、ヒンジ２０を介してスキャナ筐体３５に対し回動可能に配設されている。このリッド１１の下面のうち原稿台３ａに対応する位置には、原稿を原稿台３ａに密着させるために、例えばスポンジ製のパッド１１ａが取り付けられている。上面パネル３６の上面のうち、リッド１１により覆われない部位には、上記の操作ボタン４及び液晶表示部５が配設されている。
【００１７】
スキャナ筐体３５の内部で、原稿台３ａの下部には、例えばモータ３０ａと、モータ３０ａにより駆動されるＣＩＳ（Contact Image Sensor）３０ｂ等で構成される、原稿を画像データとして読み取るための読取部３０が収納されている。すなわち、スキャンユニット３は、原稿台３ａの下面に当接させながらＣＩＳ３０ｂをスキャナ筐体３５の内部で移動させ、ＣＩＳ３０ｂにより原稿台３ａに載置された原稿を撮像し、その原稿を画像データとして読み取るように構成されている。
【００１８】
図２に示すように、スキャナ筐体３５の下面のうち、後側端近傍部位には、下方に突設するように形成されたストッパ突起（突起部）３５ｂがスキャナ筐体３５と一体に形成されている。このストッパ突起３５ｂの先端部は、例えば幅方向の内向きに突出するように爪状に形成されており、ストッパ突起３５ｂは、プリンタ筐体１０の上面に形成された嵌入孔１０ｃを貫通してプリンタ筐体１０の内部に嵌入するように構成されている。このストッパ突起３５ｂが設けられていることにより、スキャンユニット３は、プリンタ筐体１０に対し、ストッパ突起３５ｂの先端部がプリンタ筐体１０の嵌入孔１０ｃの端縁部に引っ掛かるまで回動させることができ、その回動角が所定角度以上にならないように構成されている。また、プリンタ筐体１０には、レバー１８が上方に引き出し可能に配設されており、スキャンユニット３を回動させて開口部１０ｂを露出させたときには、このレバー１８をスキャンユニット３の下面に当接させ、開口部１０ｂが露出する状態にスキャンユニット３を保持させることにより、画像形成部２のメンテナンス作業等を容易に行うことができるように構成されている。
【００１９】
また、スキャナ筐体３５の下面には、上述のストッパ突起３５ｂの他に、２つの支持突起３５ｃ，３５ｄがスキャナ筐体３５と一体に配設されている。図４に示すように、支持突起３５ｃは、プリンタ筐体１０の下面のうち、ストッパ突起３５ｂが形成されている部位とは反対側の側部後端近傍部位に、スキャナ筐体３５の上面から先端部までの距離が、ストッパ突起３５ｂと略同程度になるように突設されている。一方、支持突起３５ｄは、スキャナ筐体３５の下面のうち、ストッパ突起３５ｂが形成されている側部前端の近傍部位に形成されている。この支持突起３５ｄは、ストッパ突起３５ｂや支持突起３５ｃよりも、スキャナ筐体３５の上面から先端部までの距離が短くなるように、すなわち下面からの突き出し量が低くなるように形成されている。なお、図２に示すように、プリンタ筐体１０の上面のうち支持突起３５ｄに対応する部位には、凹部１０ｄが形成されている。これにより、スキャンユニット３がプリンタ筐体１０に水平に取り付けられている状態では、支持突起３５ｃの先端部が開口部１０ｂを介してプリンタ筐体１０の内部に位置し、支持突起３５ｄが凹部１０ｄに嵌まり込むことにより、プリンタ筐体１０とスキャナ筐体３５とが接触しないように構成されている。
【００２０】
図５は、スキャナ筐体３５を示す。図に示すように、このスキャナ筐体３５は、例えば作業台等の平坦面Ｇ上に載置されたとき、ストッパ突起３５ｂの先端部と、支持突起３５ｃ，３５ｄそれぞれの先端部と、スキャナ筐体３５の下面のうち支持突起３５ｄが形成されている側とは反対側の側部近傍の前端部との４箇所の接地点Ｌにて、その平坦面Ｇ上に接地し、少しだけ水平から傾いた姿勢で安定するように構成されている。換言すると、本実施形態において、上記の支持突起３５ｃ，３５ｄは、スキャナ筐体３５が平坦面Ｇ上に載置された状態でストッパ突起３５ｂの先端部とスキャナ筐体３５の下面の一部と共に平坦面Ｇ上に接地するように、それぞれのスキャナ筐体３５の上面からその先端部の長さが設定されている。
【００２１】
スキャナ筐体３５は、画像形成装置１の軽量化や製造コスト等の要請から比較的薄肉化されており、スキャンユニット３として組み立てられていない状態では外力が加わることにより変形しやすいものである。しかしながら、スキャナ筐体３５は、スキャナ筐体３５の下面にストッパ突起３５ｂが突設されているが、例えば作業台や床面等の平坦面Ｇに載置されたとき、上述のように、上記４箇所の接地点Ｌにおいて平坦面Ｇに接地するので、その自重により歪んだりせず、読取部３０等がその内部に載置されて歪むことはない。すなわち、この画像形成装置１では、スキャナ筐体３５を、その姿勢が安定してスキャナ筐体３５に歪みが生じにくい状態で平坦面上に載置することが可能であり、スキャンユニット３の組立作業を容易に行うことができる。また、スキャンユニット３の姿勢を安定させるために、特別な治具等を用いることを要しないので、画像形成装置１の製造コストを低減することができ、スキャンユニット３の組立作業を効率良く行うことができ、さらに、画像形成装置１の使用期間中にメンテナンス作業等を行う場合にも、容易にその作業を行うことが可能である。
【００２２】
ここで、図４に示すように、この画像形成装置１では、支持突起３５ｃ，３５ｄは、スキャナ筐体３５の下面の端部近傍部位うち、互いに離れた位置で、ストッパ突起３５ｂからも離れた位置に形成されており、４箇所の接地点Ｌ同士が、互いに離れた位置にあるように構成されている。このように、接地点Ｌ同士が離れた位置にあることにより、幾何学的に各接地点Ｌを頂点とする多角形がスキャナ筐体３５の下面のうち広い範囲をカバーし、平坦面Ｇ上に載置された状態でのスキャナ筐体３５の安定性が向上している。従って、例えばスキャンユニット３の組立作業時やメンテナンス作業時等に、スキャンユニット３の重心位置が変化したり、スキャンユニット３に力が加わったりしても、スキャナ筐体３５姿勢が不安定になりにくく、スキャンユニット３の組立作業やメンテナンス作業等をより容易に行うことが可能である。
【００２３】
なお、本発明は上記実施形態の構成に限定されるものではなく、発明の趣旨を変更しない範囲で適宜に種々の変形が可能である。例えば、スキャナ筐体３５の下面に設けられる支持突起の数は、２つに限られず、１つでも、又は３つ以上でもよい。また、スキャナ筐体３５は、平坦面Ｇ上に載置されたとき、その姿勢が略水平になるように支持突起が形成されていたり、ストッパ突起３５ｂ及び支持突起の各先端部のみが接地点Ｌとなるように構成されていたりしてもよい。
【００２４】
また、本発明は、スキャナ筐体３５の下面に、上述のストッパ突起３５ｂではなく、その他のヒンジ部等の突起部が突出している場合にも適用可能である。すなわち、上述と同様に、その突起部と共に支持突起が平坦面上に接地するような構成により、作業台上等に載置したときにスキャンユニット３の姿勢を安定させることができ、スキャンユニット３の組立作業やメンテナンス作業等を容易に、且つ効率良く行えるようにすることができる。
【図面の簡単な説明】
【００２５】
【図１】本発明の一実施形態に係る画像形成装置の一例を示す斜視図。
【図２】上記装置のスキャンユニットを回動させた状態を示す斜視図。
【図３】上記スキャンユニットの構成を示す斜視図。
【図４】上記スキャンユニットを下面側を示す斜視図。
【図５】上記スキャンユニットのスキャナ筐体を平坦面上に載置した状態を示す側面図。
【符号の説明】
【００２６】
１  画像形成装置
２  画像形成部
３  スキャンユニット
３ａ  原稿台
１０  プリンタ筐体
１０ｂ  開口部
３０  読取部
３５  スキャナ筐体
３５ｂ  ストッパ突起（突起部）
３５ｃ，３５ｄ  支持突起
３６  上面パネル
Ｇ  平坦面
Ｌ  接地点
【図１】
2008072544.tif 000003
【図２】
2008072544.tif 000004
【図３】
2008072544.tif 000005
【図４】
2008072544.tif 000006
【図５】
2008072544.tif 000007